(57)【要約】【課題】光結合効率を改良するための投影ディスプレイ装置，プリズムセット，およびプリズムセットの製造方法を提供する。【解決手段】本発明は、投影ディスプレイ装置，プリズムセット，およびプリズムセットの製造方法を提供する。プリズムセットの製造方法は、第１プリズムの長さが第２プリズムの長さよりも大きく、第３プリズムと第４プリズムの各長さが第１プリズムの長さよりも大きな第１プリズム，第２プリズム，第３プリズムおよび第４プリズムを用意するステップと、前記第１プリズム，第２プリズム，第３プリズムおよび第４プリズムを一緒に組立てて、プリズム組立体を形成するステップと、を含む。【選択図】図２Ｈ
2009217240.tif 000002
【特許請求の範囲】
【請求項１】
第１プリズムの長さが第２プリズムの長さよりも大きく、第３プリズムと第４プリズムの各長さが第１プリズムの長さよりも大きな第１プリズム，第２プリズム，第３プリズムおよび第４プリズムを用意するステップと、
前記第１プリズム，第２プリズム，第３プリズムおよび第４プリズムを一緒に組立てて、プリズム組立体を形成するステップと、
を含むことを特徴とするプリズムセットの製造方法。
【請求項２】
前記第１プリズムと第２プリズムが、第１組立体を形成するのに第１工具によって組立てられ、この第１組立体の平面が前記第１工具の平面に対し全体に据え付けられ、
前記第１プリズムが第２プリズムと組立てられる時に、前記第１プリズムにおける２つの突出する側部の長さが、殆ど同じであることを特徴とする請求項１記載の製造方法。
【請求項３】
前記第１プリズムと第２プリズムとにより形成された第１組立体が、第２組立体を形成するのに第２工具によって第３プリズムと組立てられ、この第２組立体の平面が前記第２工具の平面に対し全体に据え付けられ、
前記第１組立体が第３プリズムと組立てられる時に、前記第３プリズムにおける２つの突出する側部の長さが、殆ど同じであることを特徴とすることを特徴とする請求項２記載の製造方法。
【請求項４】
前記第２工具は穴を備えており、この第２工具の穴の長さは前記第２プリズムの長さに一致し、
さらに前記第２工具の穴の幅は前記第２プリズムの幅の２倍よりも大きいことを特徴とする請求項３記載の製造方法。
【請求項５】
前記第２工具は穴を備えており、この第２工具の穴は第１部分と第２部分を有し、前記穴の第１部分における長さは、前記第１プリズムの長さに一致し、前記穴の第２部分における長さは、前記第３プリズムと第４プリズムの各長さに一致し、
さらに前記穴の幅は前記第２プリズムの幅の２倍よりも大きいことを特徴とする請求項３記載の製造方法。
【請求項６】
前記第１プリズム，第２プリズムおよび第３プリズムによって形成された前記第２組立体が、前記プリズム組立体を形成するのに第３工具によって第４プリズムと組立てられ、このプリズム組立体の平面が前記第３工具の平面に対し全体に据え付けられ、
さらに前記第３プリズムにおける２つの側部を、前記第４プリズムにおける２つの側部に揃えることを特徴とする請求項３記載の製造方法。
【請求項７】
前記第３工具は穴を備えており、この第３工具の穴の長さは前記第１プリズムの長さに一致し、
さらに前記第３工具の穴の幅は前記第４プリズムの幅の２倍よりも大きいことを特徴とする請求項６記載の製造方法。
【請求項８】
前記第３プリズムの長さと前記第４プリズムの長さは等しいことを特徴とする請求項１または６記載の製造方法。
【請求項９】
前記第１プリズムと第２プリズムとの間の接合部，および前記第３プリズムと第４プリズムとの間の接合部は、それぞれに第１光学フィルムを有し、この２つの第１光学フィルムは同一平面上に配置され、
前記第１プリズムと第３プリズムとの間の接合部，および前記第２プリズムと第４プリズムとの間の接合部は、それぞれに第２光学フィルムを有し、この２つの第２光学フィルムは同一平面上に配置され、
前記第１光学フィルムは前記第２光学フィルムと交差して、前記プリズムセット内でＸ形状を形成し、
さらに前記第１光学フィルムと第２光学フィルムの中央交差部は不連続になっていることを特徴とする請求項１記載の製造方法。
【請求項１０】
前記第１プリズムの接合面が前記第１光学フィルムでめっきされ、前記第４プリズムの接合面が前記第２光学フィルムでめっきされ、
さらに前記第３プリズムにおける２つの接合面が、前記第１光学フィルムと前記第２光学フィルムでそれぞれめっきされることを特徴とする請求項９記載の製造方法。
【請求項１１】
前記第１光学フィルムと第２光学フィルムが堆積若しくはスパッタリングのプロセスを経て形成されることを特徴とする請求項９記載の製造方法。
【請求項１２】
前記第１プリズム，第２プリズム，第３プリズムおよび第４プリズムは、エポキシ，ＵＶ接着剤あるいは接着剤により互いに接着されることを特徴とする請求項１記載の製造方法。
【請求項１３】
前記第１プリズム，第２プリズム，第３プリズムおよび第４プリズムは、二等辺三角形，直角二等辺三角形，或いは直角不等辺三角形の断面を有する柱状プリズムであることを特徴とする請求項１記載の製造方法。
【請求項１４】
前記プリズム組立体を切断して、一乃至複数のプリズムセットを形成するステップをさらに含むことを特徴とする請求項１記載の製造方法。
【請求項１５】
第１プリズム，第２プリズム，第３プリズムおよび第４プリズムを備え、
これらの第１プリズム，第２プリズム，第３プリズムおよび第４プリズムが互いに組立てられ、
前記第１プリズムと第２プリズムとの間の接合部，および前記第３プリズムと第４プリズムとの間の接合部は、それぞれに第１光学フィルムを有し、この２つの第１光学フィルムは同一平面上に配置され、
前記第１プリズムと第３プリズムとの間の接合部，および前記第２プリズムと第４プリズムとの間の接合部は、それぞれに第２光学フィルムを有し、この２つの第２光学フィルムは同一平面上に配置され、
前記第１光学フィルムは前記第２光学フィルムと交差して、前記プリズムセット内でＸ形状を形成し、
さらに前記第１光学フィルムと第２光学フィルムの中央交差部は不連続になっていることを特徴とするプリズムセット。
【請求項１６】
前記第１プリズム，第２プリズム，第３プリズムおよび第４プリズムは、エポキシ，ＵＶ接着剤あるいは接着剤により互いに接着されることを特徴とする請求項１５記載のプリズムセット。
【請求項１７】
前記第１プリズム，第２プリズム，第３プリズムおよび第４プリズムは、二等辺三角形，直角二等辺三角形，或いは直角不等辺三角形の断面を有する柱状プリズムであることを特徴とする請求項１５記載のプリズムセット。
【請求項１８】
前記第１光学フィルムは赤の反射フィルムからなり、前記第２光学フィルムは青または緑の反射フィルムからなり、
前記第１光学フィルムと第２光学フィルムが堆積若しくはスパッタリングのプロセスを経て形成されることを特徴とする請求項１５記載のプリズムセット。
【請求項１９】
光源と、
前記光源からの光を分解する色分解装置と、
画像信号に基づいて前記分解光を調節し、調節光を生成する光調節器と、
前記調節光を結合して、結合した光ビームを生成するプリズムセットと、を備え、
前記プリズムセットは、第１プリズム，第２プリズム，第３プリズムおよび第４プリズムを備え、
これらの第１プリズム，第２プリズム，第３プリズムおよび第４プリズムが互いに組立てられ、
前記第１プリズムと第２プリズムとの間の接合部，および前記第３プリズムと第４プリズムとの間の接合部は、それぞれに第１光学フィルムを有し、この２つの第１光学フィルムは同一平面上に配置され、
前記第１プリズムと第３プリズムとの間の接合部，および前記第２プリズムと第４プリズムとの間の接合部は、それぞれに第２光学フィルムを有し、この２つの第２光学フィルムは同一平面上に配置され、
前記第１光学フィルムは前記第２光学フィルムと交差して、前記プリズムセット内でＸ形状を形成し、
さらに前記第１光学フィルムと第２光学フィルムの中央交差部は不連続になっていることを特徴とする投影ディスプレイ装置。
【請求項２０】
投影スクリーン上に前記結合した光ビームをフォーカスする投影レンズと、
前記光源からの紫外線光や赤外線光を濾波するＵＶ−ＩＲフィルタと、をさらに備えたことを特徴とする請求項１９記載の投影ディスプレイ装置。
【請求項２１】
前記色分解装置は、偏光変換装置と、複数の干渉フィルタと、複数の反射器とを備えていることを特徴とする請求項１９記載の投影ディスプレイ装置。
【請求項２２】
前記光調節器は、液晶光弁と、偏光子若しくは制御パネルを備えていることを特徴とする請求項１９記載の投影ディスプレイ装置。
【発明の詳細な説明】
【技術分野】
【０００１】
本発明は、投影ディスプレイ装置，プリズムセット，およびプリズムセットの製造方法に関し、特に光結合効率を改良したプリズム組立体に関する。
【背景技術】
【０００２】
リアプロジェクタおよび背面投射型テレビ装置は、現時点でディジタルライトプロセッシング（ＤＬＰ）装置と、液晶ディスプレイ（ＬＣＤ）装置と、反射型液晶（ＬＣｏＳ）装置とによる３種類のシステムを有している。プリズムセットがＬＣＤ装置やＬＣｏＳ装置に適用されることで、プリズムセットの要求は増加している。
【０００３】
図１を参照すると、ここでは従来のプロジェクタにおける基本的な構造を示している。従来のプロジェクタは、３個の液晶光弁４２，４４，４６と、プリズムセット４８と、投射レンズ５０とを備えている。赤の反射フィルム４８Ｒは青の反射フィルム４８Ｂと交差して、これらがＸ形状を形成する。三原色である赤，青，緑は、プリズム組立体４８を通して混合され、その後に混合された光ビームを投影レンズ５０に向けて照らすために、液晶光弁４２，４４，４６によって調整される。この混合された光ビームは、投影レンズ５０を通して投影スクリーン５２上にフォーカスされる。
【０００４】
プリズムセット４８は、４つの等しいサイズのプリズムをお互いに接着することで形成される。しかし、プリズムセット４８を形成するのに４つの等しいサイズのプリズムを接着する際に、正確にそれらのプリズムを接着して、赤の反射フィルム４８Ｒと青の反射フィルム４８Ｂを保持することが難しく、結果的に赤の反射フィルム４８Ｒと青の反射フィルム４８Ｂの反射特性および透過特性に影響を及ぼす。そのようになると、プリズムセット４８は不完全なものとなる。加えて、この不完全なプリズムセットがプロジェクタに用いられると、多数の像や、様々なサイズの像や、或いはストライプ縞が、投影イメージに現われる。
【特許文献１】米国特許出願公開第２００３/０２０２１６３号明細書
【発明の開示】
【発明が解決しようとする課題】
【０００５】
本発明は、光結合効率を改良するための投影ディスプレイ装置，プリズムセット，およびプリズムセットの製造方法を提供する。
【課題を解決するための手段】
【０００６】
上記目的を達成するために、本発明はプリズムセットの製造方法を提供する。本方法の各ステップは、第１プリズムの長さが第２プリズムの長さよりも大きく、第３プリズムと第４プリズムの各長さが第１プリズムの長さよりも大きな第１プリズム，第２プリズム，第３プリズムおよび第４プリズムを用意すること、および第１プリズム，第２プリズム，第３プリズムおよび第４プリズムを一緒に組立てて、プリズム組立体を形成することを含む。
【０００７】
前記第１プリズムと第２プリズムが、第１組立体を形成するのに第１工具によって組立てられ、この第１組立体の平面が前記第１工具の平面に対し完全に据え付けられる。前記第１プリズムが第２プリズムと組立てられる時に、前記第１プリズムにおける２つの突出する側部の長さが、殆ど同じである。
【０００８】
前記第１プリズムと第２プリズムとにより形成された第１組立体が、第２組立体を形成するのに第２工具によって第３プリズムと組立てられ、この第２組立体の平面が前記第２工具の平面に対し完全に据え付けられる。前記第１組立体が第３プリズムと組立てられる時に、前記第３プリズムにおける２つの突出する側部の長さが、殆ど同じである。前記第２工具は穴を備えており、この第２工具の穴の長さは前記第２プリズムの長さに一致し、さらに前記第２工具の穴の幅は前記第２プリズムの幅の２倍よりも大きい。代りに、前記第２工具は穴を備えており、この穴は第１部分と第２部分を有し、前記穴の第１部分における長さは、前記第１プリズムの長さに一致し、前記穴の第２部分における長さは、前記第３プリズムと第４プリズムの各長さに一致し、さらに前記穴の幅は前記第２プリズムの幅の２倍よりも大きい。
【０００９】
前記第１プリズム，第２プリズムおよび第３プリズムによって形成された前記第２組立体が、前記プリズム組立体を形成するのに第３工具によって第４プリズムと組立てられ、このプリズム組立体の平面が前記第３工具の平面に対し全体に据え付けられる。前記第３プリズムにおける２つの側部は、前記第４プリズムにおける２つの側部に揃えられる。前記第３工具は穴を備えており、この第３工具の穴の長さは前記第１プリズムの長さに一致し、さらに前記第３工具の穴の幅は前記第４プリズムの幅の２倍よりも大きい。
【００１０】
前記第３プリズムの長さと前記第４プリズムの長さは等しい。
【００１１】
前記第１プリズムと第２プリズムとの間の接合部，および前記第３プリズムと第４プリズムとの間の接合部は、それぞれに第１光学フィルムを有している。この２つの第１光学フィルムは同一平面上に配置される。前記第１プリズムと第３プリズムとの間の接合部，および前記第２プリズムと第４プリズムとの間の接合部は、それぞれに第２光学フィルムを有している。この２つの第２光学フィルムは同一平面上に配置される。前記第１光学フィルムは前記第２光学フィルムと交差して、前記プリズムセット内でＸ形状を形成しており、さらに前記第１光学フィルムと第２光学フィルムの中央交差部は不連続になっている。
【００１２】
前記第１プリズムの接合面が前記第１光学フィルムでめっきされ、前記第４プリズムの接合面が前記第２光学フィルムでめっきされ、さらに前記第３プリズムにおける２つの接合面が、前記第１光学フィルムと前記第２光学フィルムでそれぞれめっきされる。
【００１３】
前記第１光学フィルムは赤の反射フィルムからなり、前記第２光学フィルムは青または緑の反射フィルムからなる。前記第１光学フィルムと第２光学フィルムは、堆積若しくはスパッタリングのプロセスを経て形成される。前記第１プリズム，第２プリズム，第３プリズムおよび第４プリズムは、エポキシ，ＵＶ接着剤あるいは接着剤により接着される。前記第１プリズム，第２プリズム，第３プリズムおよび第４プリズムは、二等辺三角形，直角二等辺三角形，或いは直角不等辺三角形の断面を有する柱状プリズムである。
【００１４】
前記プリズムセットの製造方法は、前記プリズム組立体を切断して、一乃至複数のプリズムセットを形成するステップをさらに含む。
【００１５】
上述のものを得るために、本発明はプリズムセットを提供する。このプリズムセットは、第１プリズム，第２プリズム，第３プリズムおよび第４プリズムを備えている。これらの第１プリズム，第２プリズム，第３プリズムおよび第４プリズムは、互いに組立てられる。前記第１プリズムと第２プリズムとの間の接合部，および前記第３プリズムと第４プリズムとの間の接合部は、それぞれに第１光学フィルムを有する。この２つの第１光学フィルムは同一平面上に配置される。前記第１プリズムと第３プリズムとの間の接合部，および前記第２プリズムと第４プリズムとの間の接合部は、それぞれに第２光学フィルムを有する。この２つの第２光学フィルムは同一平面上に配置される。前記第１光学フィルムは前記第２光学フィルムと交差して、前記プリズムセット内でＸ形状を形成し、さらに前記第１光学フィルムと第２光学フィルムの中央交差部は不連続になっている。
【００１６】
上述のものを得るために、本発明は投影ディスプレイ装置を提供する。この投影ディスプレイ装置は、光源と、色分解のために前記光源からの光を分解する色分解装置と、画像信号に基づいて前記分解光を調節し、調節光を生成する光調節器と、前記調節光を結合して、結合した光ビームを生成するプリズムセットと、を備えている。前記プリズムセットは、第１プリズム，第２プリズム，第３プリズムおよび第４プリズムからなる。これらの第１プリズム，第２プリズム，第３プリズムおよび第４プリズムは、互いに組立てられる。前記第１プリズムと第２プリズムとの間の接合部，および前記第３プリズムと第４プリズムとの間の接合部は、それぞれに第１光学フィルムを有する。この２つの第１光学フィルムは同一平面上に配置される。前記第１プリズムと第３プリズムとの間の接合部，および前記第２プリズムと第４プリズムとの間の接合部は、それぞれに第２光学フィルムを有する。この２つの第２光学フィルムは同一平面上に配置される。前記第１光学フィルムは前記第２光学フィルムと交差して、前記プリズムセット内でＸ形状を形成し、さらに前記第１光学フィルムと第２光学フィルムの中央交差部は不連続になっている。
【００１７】
投影ディスプレイ装置はさらに、投影スクリーン上に前記結合した光ビームをフォーカスする投影レンズを備える。
【００１８】
投影ディスプレイ装置はさらに、前記光源からの紫外線光や赤外線光を濾波するＵＶ−ＩＲフィルタを備える。
【００１９】
前記色分解装置は、偏光変換装置と、複数の干渉フィルタと、複数の反射器とを備えている。前記光調節器は、液晶光弁と、偏光子若しくは制御パネルを備えている。
【発明の効果】
【００２０】
本発明によれば、光結合効率を改良するための投影ディスプレイ装置，プリズムセット，およびプリズムセットの製造方法を提供できる。
【発明を実施するための最良の形態】
【００２１】
本発明は、以下に続く詳細な記述と添付図面から、説明だけで与えられてはいるが、より完全に理解されるであろう。それによって、詳細な記述と添付図面は本発明を限定するものではない。
【００２２】
関連する図面を参照して、本発明の好ましい実施例に基づいた投影ディスプレイ装置，プリズムセット，およびプリズムセットの製造方法を記述する。同一の構成要素は同一の符号を付す。
【００２３】
図２Ａ〜図２Ｋを参照すると、ここでは本発明に基づくプリズムセットの製造方法を示している。図２Ａ〜図２Ｃに示すように、本方法は第１プリズム（長形プリズムと名付ける）１１および第２プリズム（短形プリズムと名付ける）１２を用意するステップを含む。長形プリズム１１の長さＬ１は、短形プリズム１２の長さＬ２よりも大きい。長形プリズム１１の接合面Ｐ１は、第１光学フィルム（本実施例では、第１光学フィルムが例えば赤の反射フィルムであり、これは堆積若しくはスパッタリングのプロセスを経て形成される）でめっきされ、組立工具２１によって短形プリズム１２の接合面Ｐ２に接合される。ここでの接合材料は、エポキシ，ＵＶ（紫外線）接着剤あるいは接着剤を含む。長形プリズム１１および短形プリズム１２によって形成された組立体１０の平面Ｓ１は、長形プリズム１１と短形プリズム１２との間のずれを最小にするのに、組立工具２１の平面Ｗ１に対し全体に据え付けられ、それにより平面Ｓ１における同一平面性を増加させる。組立に際して、長形プリズム１１における２つの突出する側部の長さＤ１，Ｄ２が、円滑な製造プロセスを実現するのに殆ど同じになるのを確保する必要がある。
【００２４】
図２Ｄ〜図２Ｇを参照すると、本方法は第３プリズム（すなわち、超長形プリズムと名付ける）１３を用意するステップを含む。超長形プリズム１３の長さＬ３は、長形プリズム１１の長さＬ１や短形プリズム１２の長さＬ２よりも大きい。超長形プリズム１３の接合面Ｐ４は、第２光学フィルム（本実施例では、第２光学フィルムが例えば青の反射フィルムである）でめっきされ、また超長形プリズム１３の別な接合面Ｐ５は、第１光学フィルム（本実施例では、第１光学フィルムが例えば赤の反射フィルムである）でめっきされる。ここでの青の反射フィルムは、堆積若しくはスパッタリングのプロセスを経て形成される。組立体１０の接合面Ｐ３は、工具２２によって組立体１０’を形成するのに、超長形プリズム１３の接合面Ｐ４に接合される。組立体１０’の平面Ｓ２は、長形プリズム１１と超長形プリズム１３との間のずれを最小にするのに、組立工具２２の平面Ｗ２に対し全体に据え付けられ、それにより平面Ｓ２における同一平面性を増加させる。組立に際して、超長形プリズム１３における２つの突出する側部の長さＤ３，Ｄ４が、円滑な製造プロセスを実現するのに殆ど同じになるのを確保する必要がある。前記工具２２は穴２２０を備えており、この工具２２の穴２２０の長さＬは、短形プリズム１２の長さＬ２に一致するか、さもなければ短形プリズム１２の長さＬ２よりも僅かに大きく、それにより平面Ｗ２を保持するための最大の保持面を、平面Ｓ２で提供する。穴２２０の幅Ｗは短形プリズム１２の幅の２倍よりも大きく、それにより工具２２を短形プリズム１２の干渉から防いでいる。
【００２５】
図２Ｈ〜図２Ｉを参照すると、本方法は第４プリズム（すなわち、超長形プリズムと名付ける）１４を用意するステップを含む。超長形プリズム１４の長さＬ４は、超長形プリズム１３の長さＬ３と等しい。超長形プリズム１４の接合面Ｐ８は、第２光学フィルム（本実施例では、第２光学フィルムが例えば青の反射フィルムである）でめっきされる。組立体１０’の接合面Ｐ５および接合面Ｐ６は、工具２３によって組立体１０’’を形成するのに、超長形プリズム１４における２つの接合面Ｐ７および接合面Ｐ８に接合される。超長形プリズム１４の平面Ｓ３は、超長形プリズム１３と超長形プリズム１４との間のずれを最小にするのに、組立工具２３の平面Ｗ３に対し全体に据え付けられ、それにより平面Ｓ３における同一平面性を増加させる。組立に際して、超長形プリズム１４における２つの側部を、超長形プリズム１３における２つの側部に揃えるのを確保する必要がある。前記工具２３は穴２３０を備えており、この工具２３の穴２３０の長さＬ’は、長形プリズム１１の長さＬ１に一致して、それにより平面Ｗ３を保持するための最大の保持面を、平面Ｓ３で提供する。穴２３０の幅Ｗ’は超長形プリズム１４の幅の２倍よりも大きく、それにより工具２３を長形プリズム１１の干渉から防いでいる。
【００２６】
前記長形プリズム１１や、短形プリズム１２や、超長形プリズム１３，１４は、二等辺三角形，直角二等辺三角形，或いは直角不等辺三角形の断面を有する柱状プリズムであってもよい。
【００２７】
図２Ｉを参照すると、組立体１０’’は図２Ｊに示すようなプリズムセット１を形成するために、点線に沿って切断される。この長形のプリズムセット１を、幾つかのプリズムセットに切断することが可能である。図２Ｋに示すように、ここでは図２Ｊに基づくプリズムセット１の断面を示している。赤の反射フィルム１Ｒは青の反射フィルム１Ｂと交差して、プリズムセット１内でＸ形状を形成しており、赤の反射フィルム１Ｒと青の反射フィルム１Ｂの中央交差部は不連続になっている。この赤の反射フィルム１Ｒと青の反射フィルム１Ｂの各位置は、交換が可能である。さらに、異なる色も適応可能である。本実施例において青の反射フィルムを、それに限定する訳ではないが、例えば緑の反射フィルムに置き換えることが可能である。
【００２８】
図３を参照すると、ここでは本発明に基づく別なプリズムセットの製造方法に適用する工具を示している。本プリズムセットの製造方法は、上述した実施例とほぼ同じものである。違いは、前記工具２２，２３が工具３として一体化されていることである。工具３は穴３０を備えている。この穴３０は、第１部分と第２部分とを含んでいる。第１部分の長さＬは、長形プリズム１１の長さＬ１に一致する（第１部分の長さＬは、長形プリズム１１の長さＬ１よりも小さいが、短形プリズム１２の長さＬ２よりも大きい）。第２部分の長さＬ’は、超長形プリズム１３の長さＬ３に一致する（第２部分の長さＬ’は、超長形プリズム１３の長さＬ３よりも小さいが、超長形プリズム１３の長さＬ３よりも大きい）。
【００２９】
図４を参照すると、ここでは本発明に基づくＬＣＤ投影ディスプレイ装置の実施例を示している。このＬＣＤ投影ディスプレイ装置は、光源６０と、色分解のために光源からの光を分解する色分解装置と、画像信号に基づいて前記分解光を調節し、調節光を生成する３つの光調節器と、前記調節光を結合して、結合した光ビームを生成するプリズムセット１とを備えている。ここでのプリズムセット１は、上述した方法によって切断された光結合の完成品である。
【００３０】
また前記投影ディスプレイ装置は、光源からの紫外線光や赤外線光を濾波するＵＶ−ＩＲフィルタ６１を備えている。さらに投影ディスプレイ装置は、投影スクリーン上に前記結合した光ビームをフォーカスする投影レンズ６７を備えている。
【００３１】
前記色分解装置は偏光変換装置６２と、複数の干渉（二色性）フィルタ６３と、複数の反射器６４を備えている。前記光調節器は、液晶光弁と、偏光子若しくは制御パネルを備えている。
【００３２】
投影ディスプレイ装置としての動作は、光源６０がＵＶ−ＩＲフィルタ６１に光を発して、紫外線光や赤外線光を濾波する。次に、光は偏光変換装置６２に入射し、干渉フィルタ６３および反射器６４を連続して通過する。最後に、偏光子６５と液晶光弁６６を通ってプリズム組立体１に光が入射し、投影レンズ６７に白色光を発するために、赤，青，緑の各光を結合して白色光を形成する。
【００３３】
要約すると、本発明に基づくプリズムセットの製造方法は、同一平面上に赤の反射フィルムと青の反射フィルムを正確に配置させ、それにより反射特性および透過特性を大幅に改良し、プリズム組立体としての特性を強化するのを確実なものにする。さらに、本発明のプリズムセットを投影ディスプレイ装置に適用すると、その投影ディスプレイ装置の寸法を減らすことができる。プリズムセットを構成する４つの柱状プリズムの各表面は、これらの各プリズムを組立てる前に、反射フィルムでめっきされる。そのため、プリズムの一つがめっきされなくても、別なプリズムを取り替える必要がなく、その点で製造コストを低減できる。
【００３４】
以上のように、本発明は例示を経て、好ましい実施例の観点から記述されてきたが、本発明は開示された実施例に限定されるものではないことを理解されたい。それよりもむしろ、本発明は（当業者ならば明らかであるような）各種の変更や、同様の配置をも保護することを意図している。したがって、添付した特許請求の範囲は、そうしたあらゆる変更や同様の配置を包含するような、最大限に広げた解釈を許容すべきである。
【図面の簡単な説明】
【００３５】
【図１】従来のプロジェクタにおける基本的な構造の概略である。
【図２Ａ】本発明に基づくプリズムセットの製造方法における概略図である。
【図２Ｂ】本発明に基づくプリズムセットの製造方法における概略図である。
【図２Ｃ】本発明に基づくプリズムセットの製造方法における概略図である。
【図２Ｄ】本発明に基づくプリズムセットの製造方法における概略図である。
【図２Ｅ】本発明に基づくプリズムセットの製造方法における概略図である。
【図２Ｆ】本発明に基づくプリズムセットの製造方法における概略図である。
【図２Ｇ】本発明に基づくプリズムセットの製造方法における概略図である。
【図２Ｈ】本発明に基づくプリズムセットの製造方法における概略図である。
【図２Ｉ】本発明に基づくプリズムセットの製造方法における概略図である。
【図２Ｊ】本発明に基づくプリズムセットの製造方法における概略図である。
【図２Ｋ】本発明に基づくプリズムセットの製造方法における概略図である。
【図３】本発明に基づく別なプリズムセットの製造方法に適用される工具の概略図である。
【図４】本発明に基づくＬＣＤ投影ディスプレイ装置の実施例における概略図である。
【符号の説明】
【００３６】
１  プリズムセット
１Ｂ  青の反射フィルム（第２光学フィルム）
１Ｒ  赤の反射フィルム（第１光学フィルム）
１０  組立体（第１組立体）
１０’  組立体（第２組立体）
１０’’  組立体（プリズム組立体）
１１  長形プリズム（第１プリズム）
１２  短形プリズム（第２プリズム）
１３  超長形プリズム（第３プリズム）
１４  超長形プリズム（第４プリズム）
２１  組立工具（第１工具）
２２  工具（第２工具）
２３  工具（第３工具）
６０  光源
６１  ＵＶ−ＩＲフィルタ
６２  偏光変換装置（色分解装置）
６３  干渉フィルタ（色分解装置）
６４  反射器（色分解装置）
６５  偏光子（光調節器）
６６  液晶光弁（光調節器）
６７  投影レンズ
【図１】
2009217240.tif 000003
【図２Ａ】
2009217240.tif 000004
【図２Ｂ】
2009217240.tif 000005
【図２Ｃ】
2009217240.tif 000006
【図２Ｄ】
2009217240.tif 000007
【図２Ｅ】
2009217240.tif 000008
【図２Ｆ】
2009217240.tif 000009
【図２Ｇ】
2009217240.tif 000010
【図２Ｈ】
2009217240.tif 000011
【図２Ｉ】
2009217240.tif 000012
【図２Ｊ】
2009217240.tif 000013
【図２Ｋ】
2009217240.tif 000014
【図３】
2009217240.tif 000015
【図４】
2009217240.tif 000016